(57)【要約】【課題】不使用時には遊技の邪魔にならないように灰皿を反転できる灰皿取付装置を提供する。【解決手段】灰皿４１を使用しないときには、使用可能状態にあった灰皿４１を、図６中の矢印に示すように、両突起４５１を中心にしてほぼ１８０゜回転した後、灰皿４１を後方に移動させる。これにより、両突起４５１それぞれが両ガイド溝４５３の直線部分４５３ａを摺動してやがて屈曲部分４５３ｂに嵌挿する。そして、灰皿４１が下動して反転状態の灰皿４１の上面が台座４７に当接し、灰皿４１がいわゆるホルダ４３に収納された状態となり、この状態でねじを螺合孔に螺合して灰皿４１が回転しないようにロックする。【選択図】　　　　図６
2004136004.tif 000002
【特許請求の範囲】
【請求項１】
遊技機筐体の前面を開閉自在に閉塞するパネルに設けられ、灰皿を前記パネルに取り付ける遊技機の灰皿取付装置において、
前記パネルに設けられたホルダと、
前記ホルダに前記灰皿を反転自在に支持する支持手段と、
前記ホルダに形成され使用可能状態及び反転状態の前記灰皿の一部が当接する台座と
を備えていることを特徴とする遊技機の灰皿取付装置。
【請求項２】
前記支持手段が、前記灰皿の両側を回転自在かつ移動自在に支持するものであることを特徴とする請求項１に記載の遊技機の灰皿取付装置。
【請求項３】
前記支持手段が、
前記灰皿の両側または前記ホルダの両側壁の一方の端部であって対向位置に植設された突起と、前記灰皿の両側または前記ホルダの両側壁の他方における対向位置に形成され前記両突起それぞれが嵌挿するガイド溝とを備え、
前記突起を回転中心として回転した前記灰皿が、前記ガイド溝の方向に移動することを特徴とする請求項１または２に記載の遊技機の灰皿取付装置。
【請求項４】
前記突起が、前記灰皿の高さ方向における中央よりも上寄りの位置に形成され、
前記ガイド溝が、直線部分と、該直線部分の端部に連続し下方に屈曲した屈曲部分とから成り、
前記突起を回転中心として反転した前記灰皿の移動時に、前記突起が前記直線部分を摺動して前記屈曲部分に嵌挿することで反転状態の前記灰皿の上面が前記台座に当接し、前記灰皿を反転しない使用可能状態では、前記灰皿の底面が前記台座に当接する
ことを特徴とする請求項３に記載の遊技機の灰皿取付装置。
【請求項５】
前記灰皿の不使用時には、前記灰皿を反転状態にロックするロック手段を備えていることを特徴とする請求項１ないし４のいずれかに記載の遊技機の灰皿取付装置。
【請求項６】
前記パネルに設けられ払い出しメダルを受けるメダル受けを備え、
前記ホルダが、前記メダル受けに隣接して配設され前記ホルダの側壁の一部を構成し、
前記ロック手段が、前記メダル受けの側壁及び前記灰皿の側壁を抜き差し自在に貫通する貫通部材を備えている
ことを特徴とする請求項５に記載の遊技機の灰皿取付装置。
【請求項７】
前記貫通部材が、前記灰皿の側壁に形成された螺合孔に螺合するねじであることを特徴とする請求項６に記載の遊技機の灰皿取付装置。
【発明の詳細な説明】
【０００１】
【発明の属する技術分野】
この発明は、遊技機筐体の前面を開閉自在に閉塞するパネルに設けられ、灰皿をパネルに取り付ける遊技機の灰皿取付装置に関する。
【０００２】
【従来の技術】
一般に、スロットマシンやパチンコ機等の遊技機では、前面が開口した箱状の筐体に、その前面全体を覆う大きさのパネルの一側がヒンジにより回転自在に支持され、このパネルにより筐体の前面が閉塞され、シリンダ錠を備えたロック機能を有する開閉装置により開閉可能にロックされるようになっている。
【０００３】
このようなパネルの下部には、通常メダル受けの左側に隣接して灰皿が設けられており、遊技者が喫煙しながら遊技できるようになっており、従来は清掃を容易に行えるように回転可能に灰皿がパネルに取り付けられている。ところが、近年禁煙者の増大に伴い、禁煙者に配慮して、遊技機に設けられている灰皿にブラインド板等を貼るなどして灰皿を使用できないようにし、喫煙コーナーと称される特定場所に設置された灰皿のみ使用できるようにしているパチンコホールが増えつつある。
【０００４】
しかしながら、このように灰皿を塞ぐためのブラインド板等をホール側で別途準備しなければならず、ホール管理者に多くの負担と手間を強いることになり好ましくない。
【０００５】
一方、最近では、灰皿の上部開口を上方から覆う頂壁を有するホルダーを設け、不使用時には灰皿をホルダー内に押し込んで使用できない状態にしておき、使用時には灰皿をホルダーから所定量だけ引き出して灰皿を部分的に露出させ、清掃時には灰皿を使用位置から前端部を下方に揺動させるようにしたものがある（例えば、特許文献１参照。）。
【０００６】
【特許文献１】
特開２００２−２５２号公報（第４頁、図３−５）
【０００７】
【発明が解決しようとする課題】
しかし、従来の灰皿では、ホルダーとして灰皿の上部開口を上方から覆う頂壁を有するものが必要になるため、構成が複雑化するという問題点があった。更に、灰皿を引き出せば、簡単に灰皿を使用できる状態になるため、灰皿を完全に使用できない状態にするには、ホルダー前面をやはり閉塞せざるを得ず、そのための閉塞部材を別途する必要が生じる。ところが、一旦ホルダー前面を閉塞部材により閉塞してしまうと、その閉塞部材を除去するのに過剰な手間がかかるという新たな問題点が生じる。
【０００８】
また、従来の灰皿の場合、パネルから突出しないようにパネル内側に奥まった位置にホルダーを設けているため、パネルにホルダーの配置スペースを確保しなければならないという問題点があった。
【０００９】
一方、このようなパネルの内側におけるホルダー用スペースを不要にし、パネルから前方に突出してメダル受け及び灰皿を配設するタイプの遊技機の場合にはホルダーが大型化し、返ってホルダーが遊技の邪魔になる恐れがある。
【００１０】
そこで、本発明は、簡単な構成により、不使用時には遊技の邪魔にならないように灰皿を反転できる灰皿取付装置を提供することを目的とする。
【００１１】
【課題を解決するための手段】
上記した目的を達成するために、本発明は、遊技機筐体の前面を開閉自在に閉塞するパネルに設けられ、灰皿を前記パネルに取り付ける遊技機の灰皿取付装置において、前記パネルに設けられたホルダと、前記ホルダに前記灰皿を反転自在に支持する支持手段と、前記ホルダに形成され使用可能状態及び反転状態の前記灰皿の一部が当接する台座とを備えていることを特徴としている（請求項１）。
【００１２】
このような構成によれば、支持手段により灰皿を反転自在に支持し、使用可能状態及び反転状態の灰皿の一部に台座が当接するようにしたため、灰皿を使用しないときには、例えば灰皿を反転して天地逆転した灰皿の上面を台座に当接させることで、灰皿を遊技の邪魔にならない状態に反転させておくことができ、従来のように閉塞部材等を用いることなく灰皿を使用不能状態に保持することができる。
【００１３】
一方、灰皿を使用可能状態に戻すには、反転状態の灰皿を元の状態に反転させればよく、従来のように閉塞部材等を除去する必要もなく、簡単に灰皿を使用可能状態に戻すことができる。
【００１４】
また、本発明は、前記支持手段が、前記灰皿の両側を回転自在かつ移動自在に支持するものであることを特徴としている（請求項２）。このような構成によれば、灰皿の両側を支持手段により回転自在かつ移動自在に支持するため、灰皿を使用しないときには、灰皿を容易に反転して反転状態に保持することができ、灰皿を使用するときには、灰皿を反転状態から簡単に元の状態に回転して使用可能状態に保持することができる。
【００１５】
また、本発明は、前記支持手段が、前記灰皿の両側または前記ホルダの両側壁の一方の端部であって対向位置に植設された突起と、前記灰皿の両側または前記ホルダの両側壁の他方における対向位置に形成され前記両突起それぞれが嵌挿するガイド溝とを備え、前記突起を回転中心として回転した前記灰皿が、前記ガイド溝の方向に移動することを特徴としている（請求項３）。
【００１６】
このような構成によれば、突起を回転中心として回転した灰皿がガイド溝の方向に移動するようにしたため、灰皿を回転自在かつ移動自在に支持することができる。
【００１７】
また、本発明は、前記突起が、前記灰皿の高さ方向における中央よりも上寄りの位置に形成され、前記ガイド溝が、直線部分と、該直線部分の端部に連続し下方に屈曲した屈曲部分とから成り、前記突起を回転中心として反転した前記灰皿の移動時に、前記突起が前記直線部分を摺動して前記屈曲部分に嵌挿することで反転状態の前記灰皿の上面が前記台座に当接し、前記灰皿を反転しない使用可能状態では、前記灰皿の底面が前記台座に当接することを特徴としている（請求項４）。
【００１８】
このような構成によれば、不使用時には、灰皿を容易に反転できて、天地逆転した灰皿の上面を台座に当接させて灰皿を反転状態に保持することができ、使用時には、灰皿を反転状態から元の状態に回転できて、灰皿の底面を台座に当接させて灰皿を使用可能状態に保持することができる。また、このときガイド溝に屈曲部分を設けることで、不使用時及び使用時のいずれにおいても灰皿が手前に動くのを防止することができる。
【００１９】
また、本発明は、前記灰皿の不使用時には、前記灰皿を反転状態にロックするロック手段を備えていることを特徴としている（請求項５）。このような構成によれば、ロック手段により灰皿を反転状態にロックするため、外部から衝撃が加わっても灰皿を確実に反転状態に保持することができる。
【００２０】
また、本発明は、前記パネルに設けられ払い出しメダルを受けるメダル受けを備え、前記ホルダが、前記メダル受けに隣接して配設され前記ホルダの側壁の一部を構成し、前記ロック手段が、前記メダル受けの側壁及び前記灰皿の側壁を抜き差し自在に貫通する貫通部材を備えていることを特徴としている（請求項６）。
【００２１】
このような構成によれば、遊技機が複数連設されていて、ある遊技機の灰皿とこれに連設する遊技機との間に隙間がない場合であっても、当該遊技機のメダル受け側から貫通部材をメダル受けの側壁及び灰皿の側壁に貫通することによって、灰皿を容易に反転状態にロックすることができる。
【００２２】
また、本発明は、前記貫通部材が、前記灰皿の側壁に形成された螺合孔に螺合するねじであることを特徴としている（請求項７）。このような構成によれば、貫通部材であるねじをメダル受けの側壁及び灰皿の側壁に貫通して螺合孔に螺合することにより、灰皿を簡単に反転状態にロックすることができる。ここで、螺合孔の形成位置を突起と同一水平面から上下のどちらかにずらしておくとよく、こうすると、外力が加わって螺合孔を中心に灰皿が回転しようとしても、ガイド溝内に嵌挿した突起がガイド溝内周面に当たり、これにより灰皿の回転が阻止されるため、灰皿を反転状態に保持することができる。
【００２３】
【発明の実施の形態】
この発明を遊技機であるスロットマシンに適用した場合における一実施形態について図１ないし図９を参照して説明する。但し、図１はスロットマシンの正面図、図２及び図３は灰皿の正面図及び右側面図、図４及び図５は灰皿の使用可能状態における切断右側面図及び切断正面図、図６及び図７は灰皿の反転動作説明用の切断右側面図及び反転収納動作説明用の切断右側面図、図８及び図９は灰皿の使用不能状態における切断右側面図及び切断正面図である。
【００２４】
本実施形態におけるスロットマシンは、例えば図１に示すように構成されている。即ち、図１に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。このとき、前面パネル５の左端部がヒンジにより筐体３に回転自在に支持されて、筐体３の前面全体が前面パネル５により覆われて閉塞される。
【００２５】
そして、図１に示すように、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２６】
更に、図１に示すように、操作板７には、クレジットされているメダルの枚数を減じてメダル投入に代えるためのベットスイッチ１５、各リールの回転を開始させるためのスタートレバー１７、第１ないし第３ストップスイッチ１９，２１，２３、及び、メダル投入口２５や貯留メダルを払い出すための精算スイッチ２７が設けられている。
【００２７】
また、図１に示すように、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７や、この払出口３７から払い出されるメダルを受けるメダル受け３９が設けられている。
【００２８】
ところで、メダル受け３９の左方に隣接して灰皿４１が設けられており、この灰皿４１は以下のような灰皿取付装置により前面パネル５に取り付けられている。即ち、この灰皿取付装置は、前面パネル５に設けられたホルダ４３と、このホルダ４３に灰皿４１を反転自在に支持する支持手段４５と、ホルダ４３に一体形成され使用可能状態の灰皿４１の底面及び反転状態の灰皿４１の上面に当接する台座４７とを備えている。
【００２９】
このホルダ４３は、正面視断面コ字状に加工されて前面パネル５に一体形成された左側部材４３１と、前面パネル５に一体形成された後側部材４３３と、メダル受け３９の左側壁により兼用される右側部材４３５とにより構成され、左側部材４３１の内側壁、後側部材４３３の下部から右側部材４３５にかけて、台座４７が突出して段差状に一体形成されており、台座４７は平面視コ字状を成している。尚、灰皿４１の前下部にはホルダ４３の構成部材はなく、指を挿入できる空間が確保されている。
【００３０】
ここで、ホルダ４３の上面から台座４７までの距離は灰皿４１の高さにほぼ等しく設定されており、灰皿４１の使用時には、灰皿４１の底面の左、右、後端部が台座４７に当接し、ホルダ４３の上面と灰皿４１の上面とがほぼ同一面を形成した状態に保持され、灰皿４１がホルダ４３の上方に突出しない状態で灰皿４１がホルダ４３内に収納されるようになっている。
【００３１】
また、支持手段４５は、灰皿４１の左右の両側壁外周面の前端部であって灰皿４１の高さ方向における中央よりも上寄りの位置に、相対向する位置に同軸に植設された一対の突起４５１と、ホルダ４３の左側部材４３１の内側壁及び右側部材４３５の相対向する位置に形成され、両突起４５１それぞれが嵌挿する前後方向に長尺の一対のガイド溝４５３とを備えている。
【００３２】
そして、両ガイド溝４５３それぞれは、前後方向の直線部分４５３ａと、この直線部分４５３ａの後端部に連続し下方にほぼ９０゜屈曲した屈曲部分４５３ｂとから成るＬ字状を有し、両突起４５１を回転中心として回転した灰皿４１が、両ガイド溝４５３に沿って移動する際には、両突起４５１それぞれが両ガイド溝４５３の直線部分４５３ａを摺動する。更に、両突起４５１を回転中心として反転した灰皿４１を後方に移動すると、両突起４５１それぞれが両ガイド溝４５３の直線部分４５３ａを摺動してやがて屈曲部分４５３ｂに嵌挿し、これにより両突起４５１それぞれが両ガイド溝４５３の屈曲部分４５３ｂに沿って下動し、反転状態の灰皿４１の上面が台座４７に当接し、反転状態の灰皿４１がホルダ４３内に収容されるようになっている。
【００３３】
このとき、台座４７に当接した反転状態の灰皿４１の底面は、ホルダ４３やメダル受け３９の上面とほぼ同一面を形成し、反転状態の灰皿４１のみがホルダ４３やメダル受け３９の上面よりも上方に突出することがなく、反転状態の灰皿４１が遊技の邪魔になることはない。
【００３４】
また、灰皿４１を反転状態にロックするロック手段５１が設けられ、このロック手段５１は、メダル受け３９の左側壁及び灰皿４１の右側壁を抜き差し自在に貫通する貫通部材としてのねじ５１１と、灰皿４１の右側壁に形成された螺合孔５１３とにより構成され、灰皿４１の螺合孔５１３にねじ５１１が螺合することにより、灰皿４１が反転状態にロックされ、衝撃等によって反転状態の灰皿４１が簡単に元の状態に回転することはない。
【００３５】
このとき、図８に示すように、螺合孔５１３の形成位置は突起４５１と同一水平面よりも下にずれ、螺合孔５１３に螺合したねじ５１１の位置は突起４５１よりも下にずれているため、外力が加わって螺合孔５１３及びねじ５１１を中心に灰皿４１が回転しようとしても、ガイド溝４５の屈曲部分４５３ｂ内に嵌挿した突起４５１が屈曲部分４５３ｂの内周面に当たり、これにより灰皿４１の回転が阻止されることになり、灰皿４１を反転状態に強固にロックすることができる。
【００３６】
このような灰皿取付装置により前面パネル５に取り付けられた灰皿４１を使用しないときには、図４，５に示すように使用可能状態にあった灰皿４１を、図６中の矢印に示すように、両突起４５１を中心にしてほぼ１８０゜回転した後、図７に示すように灰皿４１を後方に移動させることにより、両突起４５１それぞれが両ガイド溝４５３の直線部分４５３ａを摺動してやがて屈曲部分４５３ｂに嵌挿する。これによって、灰皿４１が下動して反転状態の灰皿４１の上面が台座４７に当接し、灰皿４１がいわゆるホルダ４３に収納された状態となり、図８，９に示すように、この状態でねじ５１１を螺合孔５１３に螺合することにより、灰皿４１が回転しないようにロックされる。
【００３７】
一方、このように反転状態にロックされた灰皿４１を使用するときには、上記した反転時の動作とは逆に、ねじ５１１を螺合孔５１３から外し、灰皿４１を持ち上げて両突起４５１それぞれを両ガイド溝４５３の屈曲部分４５３ｂの上部に移動させ、更に灰皿４１を前方へ引き出すことにより、両突起４５１それぞれが両ガイド溝４５３の直線部分４５３ａを摺動し、灰皿４１が図７中の１点鎖線に示す位置まで移動した時点で、図６中の矢印と反対方向にほぼ１８０゜回転すると、灰皿４１の底面が台座４７に当接し、灰皿４１が使用可能状態に保持される。
【００３８】
従って、上記した実施形態によれば、支持手段４５により灰皿４１を反転自在に支持し、使用可能状態の灰皿４１の底面、及び、反転状態の灰皿４１の上面に台座４７が当接するようにしたため、灰皿４１を使用しないときには、灰皿４１を反転して天地逆転した灰皿４１の上面を台座４７に当接させることで、灰皿４１を遊技の邪魔にならない状態に反転させておくことができ、従来のように閉塞部材等を用いることなく簡単かつ安価な構成により灰皿４１を使用不能状態に保持することができる。
【００３９】
また、灰皿４１を使用可能状態に戻すには、反転状態の灰皿４１を元の状態に反転させればよく、従来のように閉塞部材等を除去する必要もなく、簡単に灰皿４１を使用可能状態に戻すことができる。
【００４０】
更に、ロック手段５１により反転状態の灰皿４１をロックするため、外部から衝撃が加わっても灰皿を確実に反転状態に保持することができる。
【００４１】
また、使用可能状態、使用不能状態のいずれであっても、灰皿４１がホルダ４３よりも上方に突出することがないため、使用可能状態及び使用不能状態において灰皿４１が遊技の邪魔になることを防止でき、遊技者に快く遊技を楽しんでもらうことができる。
【００４２】
なお、本発明は上記した実施形態に限定されるものではなく、その趣旨を逸脱しない限りにおいて上述したもの以外に種々の変更を行うことが可能である。
【００４３】
例えば、上記した実施形態では、支持手段４５の突起４５１を灰皿４１側に、ガイド溝４５３をホルダ４３側に形成した場合について説明したが、突起４５１をホルダ４３側に、ガイド溝４５３を灰皿４１側に形成してもよいのは言うまでもない。
【００４４】
更に、上記した実施形態では、支持手段４５を突起４５１とガイド溝４５３との組み合わせにより構成した例を示しているが、特にこのような構成に限定されるものではなく、要するに灰皿４１を反転自在に支持できればよく、好ましくは灰皿４４１の両側を回転自在かつ移動自在に支持できるものであればよい。
【００４５】
また、上記した実施形態では、ロック手段５１をねじ５１１及び螺合孔５１３により構成した場合について説明したが、ロック手段は反転状態の灰皿４１をロックできる構成であればどのようなものであっても構わない。例えば、ねじ５１１に代えてその他のピン状の貫通部材を用い、差し込んだときに貫通部材をその状態に維持すべく係止できるようにしておけばよい。
【００４６】
更に、上記した実施形態では、反転時に灰皿４１を前後に移動させる場合について説明したが、灰皿４１を左右に移動させて反転させるようにしてもよいのは勿論である。
【００４７】
また、上記した実施形態では本発明をスロットマシンに適用した例を説明したが、パチンコ機といった他の遊技機にも本発明を適用することができ、その場合にも上記した実施形態と同等の効果を得ることができる。
【００４８】
【発明の効果】
以上のように、請求項１に記載の発明によれば、支持手段により灰皿を反転自在に支持し、使用可能状態及び反転状態の灰皿の一部が台座に当接するようにしたため、灰皿を使用しないときには、例えば灰皿を反転して天地逆転した灰皿の上面を台座に当接させることで、灰皿を遊技の邪魔にならない状態に反転させておくことができ、従来のように閉塞部材等を用いることなく、簡単かつ安価な構成により灰皿を使用不能状態に保持することが可能になる。
【００４９】
更に、灰皿を使用可能状態に戻すには、反転状態の灰皿を元の状態に反転させればよく、従来のように閉塞部材等を除去する必要もなく、簡単に灰皿を使用可能状態に戻すことが可能になる。
【００５０】
また、請求項２に記載の発明によれば、灰皿の両側を支持手段により回転自在かつ移動自在に支持するため、灰皿を使用しないときには、灰皿を容易に反転して反転状態に保持することができ、灰皿を使用するときには、灰皿を反転状態から簡単に元の状態に回転して灰皿を使用可能状態に保持することが可能になる。
【００５１】
また、請求項３に記載の発明によれば、突起を回転中心として回転した灰皿がガイド溝の方向に移動するようにしたため、灰皿を回転自在かつ移動自在に支持することが可能になる。
【００５２】
また、請求項４に記載の発明によれば、不使用時には、灰皿を容易に反転できて、天地逆転した灰皿の上面を台座に当接させて灰皿を反転状態に保持することができ、使用時には、灰皿を反転状態から元の状態に回転できて、灰皿の底面を台座に当接させて灰皿を使用可能状態に保持することが可能になる。
【００５３】
また、請求項５に記載の発明によれば、ロック手段により灰皿を反転状態にロックするため、外部から衝撃が加わっても灰皿を確実に反転状態に保持することが可能になる。
【００５４】
また、請求項６に記載の発明によれば、遊技機が複数連設されていて、ある遊技機の灰皿とこれに連設する遊技機との間に隙間がない場合であっても、当該遊技機のメダル受け側から貫通部材をメダル受けの側壁及び灰皿の側壁に貫通することによって、灰皿を容易に反転状態にロックすることが可能になる。
【００５５】
また、請求項７に記載の発明によれば、貫通部材であるねじをメダル受けの側壁及び灰皿の側壁に貫通して螺合孔に螺合することにより、灰皿を簡単に反転状態にロックすることが可能になる。
【図面の簡単な説明】
【図１】この発明の一実施形態におけるスロットマシンの正面図である。
【図２】この発明の一実施形態の灰皿の正面図である。
【図３】この発明の一実施形態の灰皿の右側面図である。
【図４】この発明の一実施形態の灰皿の使用可能状態における切断右側面図である。
【図５】この発明の一実施形態の灰皿の使用可能状態における切断正面図である。
【図６】この発明の一実施形態の灰皿の反転動作説明用の切断右側面図である。
【図７】この発明の一実施形態の灰皿の反転収納動作説明用の切断右側面図である。
【図８】この発明の一実施形態の灰皿の使用不能状態における切断右側面図である。
【図９】この発明の一実施形態の灰皿の使用不能状態における切断正面図である。
【符号の説明】
１　　　スロットマシン（遊技機）
３　　　筐体
５　　　前面パネル
３９　　メダル受け
４１　　灰皿
４３　　ホルダ
４５　　支持手段
４７　　台座
５１　　ロック手段
４５１　突起
４５３　ガイド溝
４５３ａ　直線部分
４５３ｂ　屈曲部分
５１１　ねじ
５１３　螺合孔
【図１】
2004136004.tif 000003
【図２】
2004136004.tif 000004
【図３】
2004136004.tif 000005
【図４】
2004136004.tif 000006
【図５】
2004136004.tif 000007
【図６】
2004136004.tif 000008
【図７】
2004136004.tif 000009
【図８】
2004136004.tif 000010
【図９】
2004136004.tif 000011